(57)【要約】【課題】コンパクトで使い勝手が良く、狭隘な災害現場で使用する救助用具として好適な爪付きジャッキを提供する。【解決手段】爪付きジャッキ１０は、固定爪１２と、固定爪１２に対して接離自在に移動可能な移動爪１４と、移動爪１４をネジの回転力によって移動させるネジ機構１６と、ネジを回転させる起重用のラチェット式レンチ１８と、ネジを回転させる早送り用の手回しハンドル２０とを具備している。起重時にはラチェット式レンチ１８によってネジ機構１６のネジを回転し移動爪１４を移動させることにより、重量物を起重する。無負荷時には早送り用の手回しハンドル２０によってネジ機構１６のネジを迅速に回転させ移動爪１４を早送りする。【選択図】図１
2007261781.tif 000002
【特許請求の範囲】
【請求項１】
固定爪と、該固定爪に対して接離自在に移動可能な移動爪と、該移動爪をネジの回転力によって移動させるネジ機構と、前記ネジを回転させる起重用のラチェット式レンチと、前記ネジを回転させる早送り用の手回しハンドルとを具備し、前記移動爪の送り速度を切替え可能にしたことを特徴とする爪付きジャッキ。
【発明の詳細な説明】
【技術分野】
【０００１】
本発明は爪付きジャッキに係り、特に災害などの緊急時に使用する救助用具として好適な爪付きジャッキに関する。
【背景技術】
【０００２】
地震などの災害時には、倒壊した家屋内に取り残された人々を救助するために、いち早く瓦礫や倒壊物を除去しなければならない。緊急時に使用できる身近な救助用具としては、バール、棒などの梃子式部材や自動車をメンテナンスするために自動車に搭載された携帯式のパンタグラフジャッキがある。
【０００３】
梃子式部材は部材先端を重量物間の狭い隙間に差し込み、梃子の原理で腕力によって重量物を持ち上げたり、移動させたりすることができ、携帯に便利で起重動作が速いという利点がある。しかしながら、操作中に荷崩れを起こし易く、腕力を緩めると持ち上げた重量物が元に戻るので操作中に手を離せないという欠点がある。また、人力のみに頼る道具であるため、数百キログラムを超える重量物に対しては無力である。
【０００４】
自動車用のパンタグラフジャッキは数百キログラムを超える重量物に対しても適用可能であり、緊急時にも比較的入手し易い利点がある。しかしながら、この種のパンタグラフジャッキはある程度開いた状態から推力を発揮する構造であるため、狭い隙間を拡張する用途にはあまり役に立たない。
【０００５】
これらの欠点を克服するために、特許文献１には爪を有したＸ状に交差する一対のリンクの角度を駆動手段によって変える構造の爪付きジャッキが開示されている。この爪付きジャッキによれば狭い隙間に爪を挿入した重量物の起重が可能であり、操作中に荷崩れを起こす危険性も低い。
【特許文献１】特開２００３―２０１０９２号公報
【発明の開示】
【発明が解決しようとする課題】
【０００６】
しかしながら、特許文献１に記載された爪付きジャッキはリンク構造を採用しているため、爪よりも後方の寸法が長大になる。このため、起重操作のために広いスペースを必要とするので狭隘な災害現場では使い勝手が悪いという欠点がある。
【０００７】
本発明の目的は上記従来技術の欠点を改善し、コンパクトで使い勝手が良く、狭隘な災害現場で使用する救助用具として好適な爪付きジャッキを提供することにある。
【課題を解決するための手段】
【０００８】
上記目的を達成するために、本発明に係る爪付きジャッキは、固定爪と、該固定爪に対して接離自在に移動可能な移動爪と、該移動爪をネジの回転力によって移動させるネジ機構と、前記ネジを回転させる起重用のラチェット式レンチと、前記ネジを回転させる早送り用の手回しハンドルとを具備し、前記移動爪の送り速度を切替え可能にしたことを特徴とする。
【発明の効果】
【０００９】
上記構成の爪付きジャッキは、リンク構造を使用しないのでコンパクトに製作することができる。また、操作レバーの動作範囲が狭くて済むラチェット式レンチを用いているので狭隘な災害現場で使用する救助用具として使い勝手が良い。また、ネジ機構のネジを回転させる手段として、起重用のラチェット式レンチと早送り用の手回しハンドルとを備える。このため、起重時にはラチェット式レンチによってネジ機構のネジを回転し移動爪を移動させることにより、重量物を起重することができる。無負荷時には早送り用の手回しハンドルによってネジ機構のネジを迅速に回転させ移動爪を早送りすることができる。したがって、当該ジャッキの操作を負荷に応じて切替え、救助作業に迅速に対応することができる。
【発明を実施するための最良の形態】
【００１０】
図１は本発明に係る爪付きジャッキの第１実施形態を示す外観斜視図であり、図２は同じ実施形態の分解斜視図、図３は同じ実施形態を別の角度から見た外観斜視図、図４は同じ実施形態を三角図法で示した各面図である。
【００１１】
爪付きジャッキ１０は主に固定爪１２と、固定爪１２に対して接離自在に移動可能な移動爪１４と、移動爪１４を移動させるネジ機構１６と、ネジ機構１６のネジを回転させる起重用のラチェット式レンチ１８と、ネジ機構１６のネジを回転させる早送り用の手回しハンドル２０とによって構成される。以下に、その詳細構造を説明する。
【００１２】
底板２２の両側には底辺に細長い爪部２４を有した一対の側板２６Ａ，２６Ｂが立設され、また、底板２２の奥部中央には縦方向に伸びたネジ２８の下部軸受３０が固定されている。この底板２２の先端部と爪部２４，２４によって固定爪１２を形成している。側板２６Ａ，２６Ｂは縦方向に案内溝３２を有する。側板２６Ａは側板２６Ｂよりも背が高く、上部に操作軸３４の一方の軸受３６が支持されている。側板２６Ｂの頂部高さにはネジ機構１６の支持板３８が側板２６Ａ，２６Ｂ間を掛け渡すように配設されており、ネジ２８の上部軸受を支持している。ネジ２８の頂部には傘歯車４０が取り付けてある。ネジ２８にはナット４２が係合している。
【００１３】
ナット４２の両側面には突起片４４が縦方向に形成され、この突起片４４が側板２６Ａ，２６Ｂの案内溝３２に嵌合している。ナット４２の下部からは水平状の移動爪１４がナット４２と一体化して伸びている。移動爪１４の幅は前記した一対の爪部２４間の内幅以内に納まる寸法とされる。側板２６Ａの上部と対向する位置には、操作軸３４の他方の軸受４６を支持する側板２６Ｃが配置され、この側板２６Ｃと側板２６Ａの頂部を掛け渡すようにして天板４８が取り付けてある。また、側板２６Ｃと側板２６Ａ上部の前面を覆うようにして前面カバー５０が取り付けられている。さらに、側板２６Ａ，２６Ｂ，２６Ｃの後面を覆うようにして後面カバー５２が取り付けられている。後面カバー５２の背面には取手５４が設けてある。操作軸３４にはネジ２８頂部の傘歯車４０と直角に噛み合う傘歯車５６が設けられ、側板２６Ｃ側に突出した操作軸３４の一端にはラチェット式レンチ１８が、側板２６Ａ側に突出した操作軸３４の他端には手回しハンドル２０が設けてある。
【００１４】
すなわち、この爪付きジャッキ１０では、支持板３８上方の側板２６Ｃと側板２６Ａ上部と前面カバー５０と後面カバー５２上部とで囲まれた密閉空間が傘歯車４０と傘歯車５６とを配置したギアボックスとされる。また、側板２６Ｂと側板２６Ａ下部と後面カバー５２下部とで三方が囲まれた空間が、ネジ２８とナット４２とからなるネジ機構１６の駆動エリアとされる。
【００１５】
上記構成の爪付きジャッキ１０においては、操作員がラチェット式レンチ１８のレバー１８Ａを往復させるか、又は手回しハンドル２０を回転させるかいずれか一方の操作によって、操作軸３４を回転させると、操作軸３４の回転が傘歯車５６と噛み合う傘歯車４０に伝達され、ネジ２８が回転する。ネジ２８が回転するとこのネジ２８に係合しているナット４２が案内溝３２にガイドされて上下動する。その結果、ナット４２と一体化した移動爪１４も上下動する。
【００１６】
図５は上記構成の爪付きジャッキ１０の使用形態を例示した説明図である。図５（１）に示したように、爪付きジャッキ１０は例えば地盤６０と重量物６２との狭い隙間ｇを拡げて重量物６２の奥に閉じ込められた被災者の救出ルートを確保するために利用される。このため、第１段階では図示のように持ち込んだ爪付きジャッキ１０の固定爪１２部分を隙間ｇに挿入する。図５（２）の第２段階では操作員（図示せず）が手回しハンドル２０によって操作軸３４を迅速に回転させることによって、移動爪１４を上方向に早送りする。図示のように移動爪１４の上面が重量物６２に当接すると手回しハンドル２０による早送り操作が困難になるので、ラチェット式レンチ１８による起重操作に切り替える。なお、手回しハンドル２０による早送り操作時には、ラチェット式レンチ１８の送り爪を解除し、レバー１８Ａが共回りしないようにする。
【００１７】
図５（３）の第３段階ではラチェット式レンチ１８による起重操作によって、重量物６２を起重し、地盤６０と重量物６２との隙間Ｇを確保する。この起重操作時におけるレバー１８Ａの動作は例えば矢印Ｘで示した範囲内の往復動作で済ませることができる。したがって、この範囲外に障害物が存在した場合でも起重操作を遂行できる。また、矢印Ｘで示した範囲内に障害物が存在した場合には、レバー１８Ａを別の角度にシフトして起重操作を遂行できる。このように起重時に操作軸３４を回転させる手段としてラチェット式レンチ１８を採用したので、周囲の状況に応じてレバー１８Ａの動作位置と動作範囲とを任意に選択できる。このため、狭隘な場所に障害物がいたるところに散在している災害現場では特に有効に機能する。
【００１８】
仮にレバー１８Ａが回転式のハンドル腕であった場合、２点鎖線Ｙで示した広い範囲内に障害物がある場合には起重操作が不可能になる。したがって、図示のケースでは重量物６２自体がハンドル操作上の障害物になるため、起重操作が不可能になる。
【００１９】
図６は図５に示した使用形態以降における爪付きジャッキ１０の使用形態を例示した説明図である。図６（１）の第４段階では地盤６０と重量物６２との間に確保した隙間に支持材６４を配置した後に、ラチェット式レンチ１８の送り爪を逆方向に切り替える。そしてレバー１８Ａを往復動させ重量物６２を少量、降重すると、重量物６２の荷重が支持材６４側に移行する。次いで、手回しハンドル２０によって移動爪１４を早送りしながら下降させ、図６（２）に示したように、移動爪１４を固定爪１２の内側に収める。このようにフリーにした爪付きジャッキ１０を次の起重目的に繰り返し利用する。
【００２０】
上述のとおり、本実施形態の爪付きジャッキ１０によれば、リンク構造を使用しない構造であり、コンパクトに製作することができる。また、レバー１８Ａの動作範囲が狭いラチェット式レンチ１８を用いているので狭隘な災害現場で使用する救助用具として使い勝手が良い。また、ネジ機構のネジ２８を回転させる手段として、起重用のラチェット式レンチ１８と早送り用の手回しハンドル２０とを備える。このため、起重時にはラチェット式レンチ１８によってネジ機構１６のネジ２８を回転し移動爪１４を移動させることにより、重量物６２を起重することができる。無負荷時には早送り用の手回しハンドル２０によってネジ機構１６のネジ２８を迅速に回転させ移動爪１４を早送りすることができる。したがって、当該爪付きジャッキ１０の操作を負荷に応じて切替え、救助作業に迅速に対応することができる。
【００２１】
図７は本発明に係る爪付きジャッキの第２実施形態を示す外観斜視図である。図７において図１〜図３と同一の符号を付した要素は前記第１実施形態と同様のものであり、説明を省略する。本実施形態においては手回しハンドル２０をラチェット式レンチ１８と同じ側板２６Ｂの側に設け、側板２６Ｂの反対面の側板２６Ａには突起物がない構成にしてある。この構成の爪付きジャッキ１０Ａは、例えば当該爪付きジャッキ１０Ａをラチェット式レンチ１８や手回しハンドル２０を取り付けた側の側板２６Ｂを上面とした横倒し状態にして使用し、重量物を横方向に移動することにより、重量物と壁との間隔を拡げる用途に適している。
【００２２】
図８は本発明に係る爪付きジャッキの第３実施形態を示す外観斜視図である。図７において図１〜図３と同一の符号を付した要素は前記第１実施形態と同一のものであり、説明を省略する。本実施形態においてはラチェット式レンチ１８と手回しハンドル２０を天板４８の側に設けた構成にしてある。この構成の爪付きジャッキ１０Ｂは、第１実施形態で説明した操作軸とネジを同一軸によって形成できるので、第１実施形態で説明した傘歯車４０や傘歯車５６を省略することができ、より一層、構造のコンパクト化と軽量化を果たすことができる。
【図面の簡単な説明】
【００２３】
【図１】本発明に係る爪付きジャッキの第１実施形態を示す外観斜視図である。
【図２】同実施形態の分解斜視図である。
【図３】同実施形態を別の角度から見た外観斜視図である。
【図４】同実施形態を三角図法で示した各面図である。
【図５】同実施形態の使用形態を例示した説明図である。
【図６】同実施形態の図５以降の使用形態を例示した説明図である。
【図７】本発明に係る爪付きジャッキの第２実施形態を示す外観斜視図である。
【図８】本発明に係る爪付きジャッキの第３実施形態を示す外観斜視図である。
【符号の説明】
【００２４】
１０，１０Ａ，１０Ｂ………爪付きジャッキ、１２………固定爪、１４………移動爪、１６………ネジ機構、１８………ラチェット式レンチ、１８Ａ………レバー、２０………手回しハンドル、２２………底板、２４………爪部、２６Ａ，２６Ｂ，２６Ｃ………側板、２８………ネジ、３０………下部軸受、３２………案内溝、３４………操作軸、３６………軸受、３８………支持板、４０………傘歯車、４２………ナット、４４………突起片、４６………軸受、４８………天板、５０………前面カバー、５２………後面カバー、５４………取手、５６………傘歯車、６０………地盤、６２………重量物、６４………支持材。
【図１】
2007261781.tif 000003
【図２】
2007261781.tif 000004
【図３】
2007261781.tif 000005
【図４】
2007261781.tif 000006
【図５】
2007261781.tif 000007
【図６】
2007261781.tif 000008
【図７】
2007261781.tif 000009
【図８】
2007261781.tif 000010